(57)【要約】      （修正有）【課題】既存の階段床の踏み板に昇降する階段床を各階段毎に取り付け、各昇降する階段床を同一高さに昇降して高齢者等の利用に供し、かつ、昇降する階段床を利用稼働しない場合は既存の階段と何ら変わることなく健常者が使用できるようにした階段床の昇降装置の提供。【解決手段】既存の階段床の踏み板に昇降機能付き階段床１を設け、上段に隣接して連なる階段床の踏み板に昇降する階段床２を設け、これらの階段床を同一の高さに昇降する。又、既存の各階段床ごとに設置されている各昇降床の昇降を一基の昇降装置１３で昇降駆動する階段床の昇降装置。【選択図】図３
2007191299.tif 000002
【特許請求の範囲】
【請求項１】
既存階段床の踏み板に、昇降機能付き階段床（１）を設け、上段に隣接し連なる、既存の階段床踏み板に昇降する階段床（２）を設置固定する。
【請求項２】
既存の各階段床ごとに設置されている各昇降する階段床の、床昇降を促するワイヤーロープ（８）とワイヤーロープ（８）を結ぶ事を特徴とする特許請求項１の階段床の昇降装置。
【請求項３】
段差の有する床面を、同一の高さに保つながら床面を昇降する事を特徴とした特許請求項１の階段床の昇降装置。
【請求項４】
隣接設置している昇降する階段床（２）を、昇降する為の主巻き上げ部材（３）上一点に、隣階段床（２）を引き上げるワイヤ−ロ−プ（８）に取り付けた滑り金具（４）部材の、滑り止め防止部材（５）を設けたことを特徴とする特許請求項１の階段床の昇降装置。
【請求項５】
昇降する階段床（２）の床引き上げロ−プ（８）部材上端に階段床（２）を昇降する為の回転ボルト（６）部材，主巻上げワイヤーロープ（３）、ローラーチェーン（７）設け昇降駆動装置とした事を特徴とした特許請求項１の階段床の昇降装置。
【請求項６】
昇降する階段床（２）の上部に、回転駆動昇降装置に主巻上げ部材ワイヤ−ロ−プ（３）を設けた事を特徴とした、特許請求項１の階段床の昇降装置。
【請求項７】
昇降機能付き階段床（１）に、主巻上げ部材ワイヤ−ロ−プ（３）を取り付け昇降機能付き階段床の（１）昇降作動に主巻上げ部材ワイヤ−ロ−プ（３）が連動する事を特徴とする特許請求項１の階段床の昇降装置。
【請求項８】
昇降する階段床（２）の上部に設けている、主巻き上げワイヤ−ロ−プ（３）に通し滑材効果を有する滑り金具（４）を設けた事を特徴とした、特許請求項１の階段床の昇降装置。
【請求項９】
昇降する階段床（２）を昇降する為の、主巻上げ部材をロ−ラ−チェ−ン（７）とした事を特徴とした、特許請求項１の階段床の昇降装置。
【請求項１０】
昇降機能付き階段床（１）の底に隣接し連なる昇降する階段床（２）を昇降する為の引き上げワイヤ−ロ−プ（８）、床持ち上げワイヤ−固定金具（２４）を設けた事を特徴とした特許請求項１の階段床の昇降装置。
【請求項１１】
昇降機能付き階段床（１）設置固定部材（１８）内に隣接する昇降する階段床（２）に取り付けている引き上げワイヤ−ロ−プ（８）を誘導する誘導ロ−ラ−（１０）を設けた事を特徴とした、特許請求項１の階段床の昇降装置。
【請求項１２】
昇降機能付き階段床（１）上段に隣接設置し連なる昇降する階段床（２）左右両端に、階段床（１）が上昇する際、階段床（２）に設けている階段床（２）を、持ち上げ部材（１１）を設けた事を特徴とする特許請求項１の階段床の昇降装置。
【請求項１３】
昇降機能付き階段床（１）左右両端に、階段床（２）を引き上げる部材のワイヤ−ロ−プ（８）を設けた事を特徴とする特許請求項１の階段床の昇降装置。
【請求項１４】
昇降機能付き階段床（１）設置固定部材（１８）内に階段床を引き上げる部材のワイヤ−ロ−プ（８）を誘導する二連誘導ロ−ラ−（１２）を設けた事を特徴とする特許請求項１の階段床の昇降装置。
【請求項１５】
階段床（２）を引き上げ部材のワイヤ−ロ−プ（８）の端末に隣接する階段床の段差による生じるワイヤ−ロ−プ（８）の弛みを吸収収納する部材の渦巻きバネ（２１）を設けた事を特徴とする特許請求項１の階段床の昇降装置。
【請求項１６】
昇降機能付き階段床（１）昇降する階段床（２）内に主巻上げ部材のワイヤーロープ（３）床引き上げ部材ワイヤーロープ（８）床持ち上げワイヤー固定金具（２４）うず巻きバネ部材（２１）ガイドレール（１５）等を組込み一体化し昇降機能付き階段床（１）昇降する階段床（２）をユニット化し各ユニットが隣接し連なるユニット間を接続固定連結金具（３１）と各ユニットの階段床を昇降するワイヤーロープ（８）どうし接続するワイヤー接続金具（２３）を設けた事を特徴とする特許請求項１の階段床の昇降装置。
【請求項１７】
圧力伸縮機能を有する圧力シリンダー（１４）を昇降装置として用いた昇降機能付き階段床（１）ユニットの床の昇降稼動に伴いワイヤーロープ（８）が隣接する昇降階段床（２）を昇降する事を特徴とした請求項１の階段床の昇降装置。
【請求項１８】
階段床に手摺り（３８）設け、握り手部材（３９）の下方一端昇降床に乗車する者が、昇降稼動時の振動による転倒、転落を防ぐ目的に取り付けた幅の広い帯状の巻き込み収納可能な転落防止シートベルト（３５）を設けた事を特徴とする特許請求項２の階段床の昇降装置。
【請求項１９】
転落防止シートベルト（３５）内に巻き込み可能な、布性腰掛椅子（４７）を設けた事を特徴とした特許請求項２の階段床の昇降装置。
【請求項２０】
転落防止シート（３５）の通常の保持力以上の異常な圧力感知する圧力センサー（３６）シートベルト装着有無のスイッチ（３７）設けた事を特徴とする特許請求項２の階段床の昇降装置。
【請求項２１】
転倒によるシートベルトに通常使用以上の圧力を感じた場合、昇降装置の昇降稼動時の動作を停止することを特徴とした特許請求項２の階段床の昇降装置。
【請求項２２】
昇降する階段床（１）中央に昇降装置（１３）を設けガイドレール（１５）昇降装置間に床を昇降する為のワイヤーロープ（８）を設けた事を特徴とした特許請求項３の階段床の昇降装置。
【請求項２３】
隣接連なる各昇降する階段床（２）に床引き上げローラー（４２）ワイヤーロープ（４１）設け、昇降機能付き階段床（１）昇降装置が作動し、ローラー（４２）を通したワイヤーロープ（４１）が各階段の昇降を促する事を特徴とした特許請求項３の階段床の昇降装置。
【請求項２４】
床中央部の昇降装置（１３）と、ガイドレール（１５）間にシャフト（４６）ローラーチェーン（４５）歯車（４４）等を設けた事を特徴とした特許請求項３の階段床の昇降装置。
【請求項２５】
昇降機能付き床昇降装置下端に回転収納可能な昇降床安定する為の部材である、アウトリガー（４８）を設けた事を特徴とした特許請求項４の階段床の昇降装置。
【発明の詳細な説明】
【技術分野】
【０００１】  本発明は階段床の踏み板の昇降に関する。
【背景技術】
【０００２】  年々、高齢者人口が増大し住み慣れた住まいでの生活において、二階の部屋に歩行する際、階段の段差での高齢者の転倒等によるケガ事故が多く発生して来ている。【０００３】  高齢の為、足腰が衰え、二階への階段の歩行が大きな障害となり、高齢者の住む住まいのバリアフリーが大きな問題となってきている。【０００４】  足腰の障害を持つ家屋の改築等を行い、ホームエレベーター等を取り付ける家庭も増えている。【０００５】  足腰が弱り二階の部屋への移動手段として階段手摺りに、平行しレールを設け椅子に腰掛け二階へ昇降移動出来る装置等がある。
【特許文献１】特開２００５−３０６６０１
【特許文献１】特開２００５−３５０２４７
【特許文献１】特開２００４−１３７８９０
【発明の開示】
【発明が解決しようとする為の課題】
【０００６】  解決しようとする問題点は、昇降装置を設置する際、住まいの階段等の改築などを必要とする。
【０００７】  二世帯住宅での住まいに設置された、エレベーター、昇降する椅子等の装置は健常者が装置の使用を必要とせず又、足腰の衰えて高齢者が必要とするこれらの装置の使用する期間使用頻度少ない等、使用者が不在となり不必要に成ったとき等は、昇降装置を必要とせず高価な物になっている。
【０００８】  このように昇降装置その物が高価な物で、装置を設置する為には専門の技術をようする者が設置施工等をしなければ成らない等、一端設置された昇降装置が不必要となった場合は簡単に撤去出来ない点にある。
【課題を解決しょうとする課題】
【０００９】  本発明は、既存の階段床の踏み板に昇降する階段床を、各階段ごと取り付け設置し、各階段の昇降する床どうしを、昇降を即する部材であるワイヤーロープを接続する事で、階段全体を昇降できる事を特徴とし、本発明の昇降する階段床を利用稼動しない場合は、既存の階段と何ら変わることなく健常者が使用できる事を最も主要にした事を特徴とする。
【発明の効果】
【００１０】  本発明の昇降する階段床は、一段ごとの床、手摺り、昇降部等が組み立てキット又は、完成された一段ごとの昇降する床ユニットとして製品化が出来る為、軽く、手軽に購入し個人誰でも取り付けが出来、高度の取り付け技術を必要としない設置撤去が可能な利点が有り、簡易型持ち運びが出来る昇降装置としても応用できる。
【発明を実施する為の最良の形態】
【００１１】  昇降する階段床を一段事の単体で、ユニット化し各階段を連結する事で安価な昇降する階段床が、最小の部品点数で出来、安価で簡単に誰でも設置できる事が実現した。
【実施例１】
【００１２】  図１は、本発明の昇降機能付き階段床１、昇降する階段床２、螺旋階段床２等の斜視図。【００１３】  昇降する階段床上部に、床引き上げワイヤーロープ符号（８）を引き上げる主巻上げワイヤーロープ符号（３）を張り巡らした図１１である。【００１４】  図２は、本発明の昇降する階段床の側面図であり、主巻き上げ部材ワイヤーロープ符号（３）に滑り止め防止部材符号（５）滑り金具符号（４）接続固定連結金具符号（３１）引き上げワイヤーロープ符号（８）を用いた、昇降する階段床の実施例１で昇降する階段床の工程稼動図である。【００１５】  図１は、昇降装置符号（１３）を用い回転駆動輪転符号（２２）で、主巻き上げワイヤーロープ符号（３）を回転する為の昇降装置であり符号（１０）は、主巻上げワイヤーロープ部材（３）を誘導するローラー符号（１０）で有る。
以下符号を記せず符号番号のみ記載するものとする。【００１６】  昇降機能付き階段床ユニット２５に隣接する、昇降する階段床ユニット２６、主巻上げワイヤーロープ３に接続する昇降する階段床の昇降を即するワイヤーロープ８間にワイヤーロープ接続金具２３、昇降する隣接連なる階段床２各階段を連結し固定する部材の接続固定連結金具３１を設けた図２である。【００１７】  床昇降時の床を誘導するガイドレール１５である図２。【００１８】  主巻上げワイヤーロープ３が、移動するに従い、滑り止め防止部材５、により滑り止め金具４が主巻上げワイヤーロープ上の滑り止め部材５と共に移動する為に、ワイヤーロープ８が昇降する階段床（２）ユニット２６の床を持ち上げる図２の昇降する階段床（２）ユニット２６の稼動工程側面図である。【００１９】  昇降する階段床（２）ユニット２６上部に、主巻上げワイヤーロープ３を駆動する昇降装置を設け、回転駆動輪２２誘導輪１０用い主巻上げワイヤーロープ３を回転させた図２、図３である。
【実施例２】
【００２０】  図３は、床持ち上げワイヤー固定金具２４、渦巻きバネ２１を用いた実施例２の昇降する階段床の稼動側面図。【００２１】  ワイヤーロープ８上一端に、昇降する階段床の底に歯止めと成る階段床を持ち上げるワイヤーロープ８に、圧着固定する床持ち上げワイヤー固定金具２４を設けた図３である。【００２２】  ワイヤーロープ８の端末に、階段の段差による生じるワイヤーロープ８の弛みを解消し、ワイヤーロープ８を常に張り詰めた状態に保つ機能を有するワイヤーロープを、巻き取る渦巻きバネ２１用いた図１、図２、図３である。【００２３】  主巻上げワイヤーロープ３上一端に、ワイヤーロープ８上端に設けている滑り金具４の滑りを止める、滑り止め防止部材５を設けた図１図２図３である。【００２４】  又、主巻き上げワイヤーロープ部材３を、ローラーチェーン７とし駆動輪を、歯車を用いてもよい。
【実施例３】
【００２５】  回転する長ボルト６を用いボルトを回転させ、ワイヤーロープ８を巻き上げ昇降する階段床ユニット２６の昇降する稼動工程側面図８、図９である。
ワイヤーロープ８の滑り止め金具４の滑りを止め、ワイヤーロープ８を巻き上げ移動する滑り止め防止部材５が、ボルト６回転による移動する稼動工程側面図４である。
【実施例４】
【００２６】  昇降機能付き階段床１の床を昇降する装置を、圧力シリンダー１４を用い、昇降する階段床１が上昇するに従い、上段に隣接連なり設置されている、昇降する階段床２の床を持ち上げ部材１１が、階段床２を持ち上げ床１と、床２が同一の高さの床となり、上昇する図５の稼動工程側面図である。【００２７】  図５は、圧力シリンダー１４を用い床１床２の上昇する稼動工程図であり、図は、昇降する床１が上段の昇降床２に設けている床を持ち上げ部材１１と接し、床１と、床２が同一の高さと成った工程上昇稼動図である。【００２８】  上記記述したように、昇降機能付き床１が上昇するに従い、上段に隣接設置している昇降する床２同一の床の高さにしながら上昇する図５である。【００２９】  渦巻きバネ部材２１は、各隣接する階段床間の段差を同一床面の高さにする為に生ずる、階段の段差によるワイヤーロープ８の弛みを解消し、ワイヤーロープ８を張り詰め保持する、渦巻きバネ部材２１をガイドレール１５上端に設ける。【００３０】  渦巻きバネ部材２１にロープ３４を設け、ワイヤーロープ８の端末に接続しワイヤーロープ８の弛みを吸収する。【００３１】  ワイヤーロープ８を張り詰め保持する、渦巻きバネ部材２１をコイルバネ、板ゴム等とし、伸縮機能を有する上記記述した機能を有する部材であれば、どの様な部材を用いても良い。【００３２】  渦巻きバネ部材２１は、ワイヤーロープ８の弛みを解消する為に、ワイヤーロープ８の端末に設ける物で、ガイドレール１５上端にワイヤーロープ８を誘導するローラー１０を設け、ワイヤーロープ８の端末にワイヤーを張る為の重りの鉄、又は鉛等の適度な部材を用いてワイヤーロープ８の弛みを解消しても良い。
【実施例５】
【００３３】  昇降機能付き階段床１内に駆動装置と巻き取り、主ワイヤーロープ３を設け、ワイヤーロープ３上に滑り止め防止部材５を圧着固定し、ワイヤーロープ８端末に設けている滑り金具４を設け、ガイドレール１５、ガイドレール固定部材でも有る、既存の階段床踏み板に設置固定する階段床（１）固定部材９ワイヤー誘導ローラー１０を組み込んで一体化し昇降機能付き階段床ユニットとする。【００３４】  上記記述した様に、昇降する階段床１と同様に必要とする床昇降部材を組み込んで一体化し、昇降する階段床２ユニットとし、各ユニット上端又の、適度の高さにユニット同士を接続する接続固定連結金具３１設け、各ユニット間を接続する事により昇降機能を有する階段床を形成しより強固の設置強度得られる。【００３５】  図５、図６は、昇降機能付き階段床で、手摺り内に油圧、空気圧、水圧等の圧力部材を用いた圧力シリンダー１４で昇降する床で電磁弁、バルブ等を用い昇降を操作する。
【実施例６】
【００３６】  昇降機能付き階段床１の手摺り３８部に転落防止シートベルト３５を設け、シートベルトの着脱感知するスイッチ３７を設けた図７の工程稼動斜視図。【００３７】  転落防止シートベルトの着脱スイッチを設ける事で転落防止シートベルトが装着時のみ昇降機能が働く事ができ安全性が高まる。【００３８】  昇降装置機能付き階段床１の床、手摺り内に人体感知センサー４０を設け、昇降する階段床に乗車の際、通常の乗車以外の行動、転倒等を感知し床昇降動作が停止する機能を保持する事もできる。【００３９】  昇降機能付き床１踏み板左右の足の乗せる部分に圧力センサーを設けどちらかの床の圧力の変動を感知し昇降床を停止させる、センサー回路等を設ける等としても良い。【００４０】  布性腰掛椅子（４７）転落防止シートベルト（３５）に設けるもので、シートベルトが収納部に巻きこまれると一緒に収納できる物で腰掛椅子部材を糸状の部材を用い籠状に編みこんで製作しても良い。【００４１】  腰掛椅子部材は、昇降階段床が昇降時の振動等による転落を防ぐ為に腰掛けるもので椅子部材は、適度の使用強度を有しシートベルト収納容器に一緒に収納できるもので、材質、構造を有してあればどの様な物を用いても良い。【００４２】  各記述したセンサー等を各実施例に基づき昇降する床１周辺に設ける事で、より安全性の高い階段床の昇降装置が提供できる。【００４３】  このように、昇降機能付き階段床１昇降する階段床２をユニット化する事で、図１の様に直線階段用床ユニット、螺旋階段用床ユニット、コの字階段等の、既存の階段床踏み板に設置できる。【００４４】  図８は、昇降する階段床の下部階段が上昇した、階段昇降稼動概略斜視図で有る。
【実施例７】
【００４５】  昇降する階段床（１）中央に昇降装置（１３）を設け、床両端のガイドレール（１５）間に床昇降を即するワイヤーロープ、シャフト、ローラーチェーン、歯車等を設けている図１２。【００４６】  昇降装置（１３）は、昇降する床踏み板の乗車人両足の間に設けるもので、人が昇降床に足を乗せる際、気にならない程度の大きさ、形をしていれば良い。【００４７】  又、昇降装置を床中央に設ける事により、隣接する各階段の床を昇降する為の床両端に設けている為、均一のワイヤーロープを引く力、速さが得られる。
【実施例８】
【００４８】  隣接連なり設置されている昇降する階段床両端に床引き上げローラー（４２）を設け、床引き上げローラーにワイヤーロープ（４１）を通し、昇降機能付き階段床（１）で床昇降、及び昇降装置（１３）の稼動に連動しワイヤーロープ、ローラーが稼動し書く階段床が同時に床が昇降する図１３。【００４９】  図１３ように、昇降装置を階段床中央に設けることで、一基の昇降装置で全ての昇降する階段床の昇降が可能になる。
【実施例９】
【００５０】  昇降装置設置金具下端に回転収納可能な昇降装置の、昇降時の装置の安定度を得る為の部材で有るアウトリガー（４８）を設けた図１４。【００５１】  アウトリガー（４８）の接地部は、床昇降時に昇降する床が滑りに耐える形状凹凸、滑り止め効果が有る部材で、ゴム系等の部材を接地下部に設けても良い。【００５２】  上記記述した実施例は、滑り止め防止部材５、滑り金具４を用いた階段床昇降実施例Ｉと床持ち上げワイヤー固定金具２４、渦巻きバネ２１を用いた階段床の昇降実施例ＩＩ、実施例ＩとＩＩを併用した階段床の実施例ＩＩＩ、床昇降時の安全を確保する為の転落防止シートベルト３５、圧力センサー３６シートベルト着脱スイッチ３７人体感知センサー４０を用いたＩＶ、ローラー４２ワイヤーロープ４１Ｖ、アウトリガーを設けた実施例に分かれる。【００５３】  実施例Ｉと実施例ＩＩを適材適所の適度の間隔に昇降する階段床に用い、たとえば既存の階段段数が１２段〜１４だと仮定し、階段中央の昇降する階段床ユニット上部に、昇降装置を設け、下段隣接する昇降する階段床と上段に隣接する階段床を左右一機の昇降装置で階段すべて一度に昇降が出来る。【００５４】  このように、一度に階段床が昇降出来るように成ると、最下段に昇降する階段床を車椅子が乗車出来るほどの床面の大きさとする事で、足に障害を持つ車椅子が利用する昇降装置が出来る。
【産業上の利用可能性】
【００５５】  昇降機能付き床ユニット１一基で複数の階段床を昇降でき、従来各階段ごとに取り付け設置する昇降降機能付き床ユニットの階段昇降装置より、格段に安価な価格の昇降装置が提供できる。【００５６】  又、記述の実施例の装置を活用すると、段差の生じている床、昇降装置を必要とする風呂場の床、浴槽床等の段差の解消に風呂場の改築を必要とせず設置できる為、高齢者が入浴する際、介護人を必要とせず自立し入浴が出来るようになる。
【図面の簡単な説明】
【００５７】
【図１】は、昇降機能付き階段床１昇降する階段床２螺旋階段、等の斜視図
【図２】は、滑り防止部材、滑り金具、連結金具等を用い回転駆動昇降装置でする稼動工程側面図
【図３】は、は、持ち上げ固定金具符号（２４）、渦巻きバネ符号（２１）実施例の昇降する階段床の稼動側面図。
【図４】は、長いボルトを回転する昇降装置を活用した実施例３の側面図。
【図５】は、昇降する階段床２に設けている、持つ上げ部材１１を用いた実施例４の昇降する階段床の側面図。
【図６】は、昇降機能付き階段床１の昇降装置に圧力シリンダー１４を活用した斜視図で実施例５の昇降する階段工程稼動図。
【図７】昇降する階段床１に転落防止シートベルト３５腰掛椅子４７を設けた斜視図。
【図８】は、実施例１〜５の昇降する階段床で、一部階段が上昇した稼動概略斜視図。
【図９】は、昇降装置に手摺り３８、握り手３９内に圧力シリンダーを持いた昇降能付き階段床１のユニットで転落防止シートベルト３５を設けシートベルト内に腰掛椅子を取り付けている斜視図。
【図１０】は、ガイドレール１５上端に昇降機能装置１３を設けた昇降する階段床１ユニット及び、昇降する階段床２ユニットに床持ち上げワイヤー固定金具２４、渦巻きバネ２１を用いた階段床昇降装置。
【図１１】は、昇降する階段床上部に、主ワイヤーロープ３を張りワイヤーロープ８を設け昇降する階段床側面図、床中央に昇降装置１３を設けた斜視図。
【図１２】は、昇降する階段床両端に床引き上げローラー（４２）ワイヤーロープ（４１）を設けた側面図、及び工程概略斜視図である。
【図１３】は、昇降床１中央に昇降装置を設けた斜視図であり、左図は主巻上げワイヤーロープ３を階段床上部に張り巡らした斜視図、右図は床引き上げローラー４２をワイヤーロープ４１昇降する斜視図である。
【図１４】は、圧力シリンダー１４で昇降する階段床を収納可能なアウトリガー４８を設けた、簡易リフトとした斜視図である。
【図１５】は既存の台車に昇降する階段床を取り付けた上昇した斜視図と浴槽に応用した昇降する階段床の側面図。
【図１６】は、浴槽に応用した昇降する階段床の上昇側面図と概略設置斜視図。
【符号の説明】
【００５８】  １  昇降機能付き階段床              ２  昇降する階段床
３  主巻上げワイヤーロープ部材      ４  滑り金具
５  滑り止め防止部材                ６  回転長ボルト
７  主巻上げ部材のローラー          ８  ワイヤーロープ
９  階段床固定部材                  １０誘導ローラー
１１持ち上げ部材                    １２二連誘導ローラー
１３昇降装置                        １４圧力シリンダー
１５ガイドレール                    １６既存の階段の段差
１７既存の階段                      １８階段床設置固定部材
１９駆動歯車                        ２０ワイヤー固定床押し上げ部材
２１渦巻きバネ                      ２２回転駆動輪
２３ワイヤー接続金具                ２４床持ち上げワイヤー固定金具
２５昇降機能付き階段床ユニット      ２６昇降する階段床ユニット
２７ワイヤー巻取り回転装置          ２８圧力装置
２９圧力ホース                      ３０圧力ホース接続金具
３１接続固定連結金具                ３２圧力装置内蔵手摺り
３３手摺り                          ３４ロープ
３５転落防止シートベルト            ３６圧力センサー
３７スイッチ                        ３８手摺り
３９握り手部材                      ４０人体感知センサー
４１ワイヤーロープ                  ４２床引き上げローラー
４３ボルト                          ４４歯車
４５ローラーチェーン                ４６シャフト
４７腰掛椅子                        ４８  アウトリガー
４９キャスター                      ５０台車
５１浴槽                            ５２浴槽昇降床固定部材
【図１】
2007191299.tif 000003
2007191299.tif 000004
【図２】
2007191299.tif 000005
2007191299.tif 000006
【図３】
2007191299.tif 000007
【図４】
2007191299.tif 000008
【図５】
2007191299.tif 000009
【図５ｂ】
2007191299.tif 000010
【図６】
2007191299.tif 000011
【図７】
2007191299.tif 000012
【図８】
2007191299.tif 000013
【図９】
2007191299.tif 000014
【図１０】
2007191299.tif 000015
【図１１】
2007191299.tif 000016
【図１２】
2007191299.tif 000017
【図１３】
2007191299.tif 000018
【図１４】
2007191299.tif 000019
【図１５】
2007191299.tif 000020
【図１６】
2007191299.tif 000021
【図１７】
2007191299.tif 000022
【手続補正書】
【提出日】平成18年3月28日(2006.3.28)
【手続補正１】
【補正対象書類名】図面
【補正対象項目名】全図
【補正方法】変更
【補正の内容】
【図１】
2007191299.tif 000023
【図２】
2007191299.tif 000024
【図３】
2007191299.tif 000025
【図４】
2007191299.tif 000026
【図５】
2007191299.tif 000027
【図６】
2007191299.tif 000028
【図７】
2007191299.tif 000029
【図８】
2007191299.tif 000030
【図９】
2007191299.tif 000031
【図１０】
2007191299.tif 000032
【図１１】
2007191299.tif 000033
【図１２】
2007191299.tif 000034
【図１３】
2007191299.tif 000035
【図１４】
2007191299.tif 000036
【図１５】
2007191299.tif 000037
【図１６】
2007191299.tif 000038
【図１７】
2007191299.tif 000039
【図１８】
2007191299.tif 000040
【図１９】
2007191299.tif 000041
【図２０】
2007191299.tif 000042
【図２１】
2007191299.tif 000043
【図２２】
2007191299.tif 000044
【図２３】
2007191299.tif 000045
【図２４】
2007191299.tif 000046
【手続補正書】
【提出日】平成18年3月28日(2006.3.28)
【手続補正１】
【補正対象書類名】明細書
【補正対象項目名】００５７
【補正方法】変更
【補正の内容】
【００５７】
【図１】は、昇降機能付き階段床１と昇降する階段床２の斜視図
【図２】は、昇降する階段床、と上昇した螺旋階段床の斜視図
【図３】は、昇降する階段床２上昇稼動斜視図
【図４】は、昇降する階段床の上部に回転駆動ワイヤー巻き上げ装置を設け、滑り防止部材、滑り金具、連結金具等を用いた昇降装置の稼動工程側面図
【図５】は、階段天上部にワイヤー巻上げ装置を設けた側面図
【図６】は、持ち上げ固定金具符号（２４）、渦巻きバネ符号（２１）実施例の昇降する階段床の稼動側面図
【図７】は、長いボルトを回転する昇降装置を活用した実施例３の側面図。
【図８】は、昇降する階段床２に設けている、持つ上げ部材１１を用いた実施例４の昇降する階段床の側面図。
【図９】は、持つ上げ部材１１を用いた実施例４の昇降する階段床の上昇稼動側面図。
【図１０】は、昇降機能付き階段床１の昇降装置に圧力シリンダー１４を活用した斜視図で実施例５の昇降する階段工程稼動図。
【図１１】は昇降する階段床１に転落防止シートベルト３５を設けた上昇斜視図
【図１２】は、昇降機能付き階段床１のシートベルト内に腰掛椅子４７を設けた斜視図。
【図１３】は、実施例１〜５の昇降する階段床で、一部階段が上昇した稼動概略斜視図。
【図１４】は、昇降装置に手摺り３８、内に圧力シリンダーを持いた昇降能付き階段床１のユニットで転落防止シートベルト３５を設けた斜視図
【図１５】は、ガイドレール１５上端に昇降機能装置１３を設けた昇降する階段床１ユニット及び、昇降する階段床２ユニットに床持ち上げワイヤー固定金具２４、渦巻きバネ２１を用いた階段床昇降装置。
【図１６】は、昇降する階段床上部に、主ワイヤーロープ３を張りワイヤーロープ８を設け昇降する階段床側面図、床中央に昇降装置１３を設けた斜視図。
【図１７】昇降機能装置を床中央に設けた昇降機能付き階段床１の上昇斜視図
【図１８】は、昇降する階段床両端に床引き上げローラー（４２）ワイヤーロープ（４１）を設けた側面図、及び工程概略斜視図である。
【図１９】は、階段上昇稼動図
【図２０】は、昇降床１中央に昇降装置を設けた斜視図であり、左図は主巻上げワイヤーロープ３を階段床上部に張り巡らした斜視図、右図は床引き上げローラー４２をワイヤーロープ４１昇降する斜視図である。
【図２１】は、圧力シリンダー１４で昇降する階段床を収納可能なアウトリガー４８を設けた、簡易リフトとした斜視図である。
【図２２】は既存の台車に昇降する階段床を取り付けた上昇した斜視図
【図２３】浴槽に応用した昇降する階段床の側面図
【図２４】は、浴槽に応用した昇降する階段床の上昇側面図と概略設置斜視図。